【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
入力される複数の信号を混合する混合手段と、その混合手段で混合される信号を増幅する増幅手段とを備え、その増幅手段で増幅される信号をモノラル音として放音するスピーカ装置において、
右信号と左信号とにより構成されるステレオ信号を入力する第１の入力手段と、
別のスピーカ装置に入力された信号を入力する第２の入力手段と、
前記第１の入力手段に入力された左信号又は右信号を出力する出力手段と、
前記第１の入力手段に入力された左信号と右信号とを前記混合手段へ入力する場合と、前記出力手段から前記第１の入力手段に入力された左信号と右信号の一方の信号を出力し、他方の信号と前記第２の入力手段に入力された信号とを前記混合手段へ入力する場合とを切替える切替手段とを備えていることを特徴とするスピーカ装置。
【請求項２】
入力される左信号を増幅する左信号増幅手段と、入力される右信号を増幅する右信号増幅手段とを備え、前記左信号増幅手段と右信号増幅手段とによって増幅される信号をステレオ音として放音するスピーカ装置において、
右信号と左信号とにより構成されるステレオ信号を入力する第１の入力手段と、
別のスピーカ装置に入力された信号を入力する第２の入力手段と、
前記第１の入力手段から入力された左信号又は右信号を出力する出力手段と、
複数の信号を混合する混合手段と、
前記第１の入力手段から入力された左信号を前記左信号増幅手段に入力し、前記第１の入力手段から入力された右信号を前記右信号増幅手段に入力する場合と、前記第１の入力手段から入力された左信号又は右信号のいずれか一方を前記出力手段から出力するとともに、他方の信号と前記第２の入力手段から入力された信号とを前記混合手段により混合し、その混合手段により混合される信号を前記左信号増幅手段と前記右信号増幅手段とに入力する場合とを切り替える切替手段とを備えていることを特徴とするスピーカ装置。
【請求項３】
前記出力手段は、前記第１の入力手段から入力された左信号を出力するステレオ拡張用左信号出力端子と、前記第１の入力手段から入力された右信号を出力するステレオ拡張用右信号出力端子とのいずれかを備え、
前記切替手段は、前記ステレオ拡張用左信号出力端子又はステレオ拡張用右信号出力端子に送信ケーブルの一端が差し込まれた場合に切替えることを特徴とする請求項１又は２に記載のスピーカ装置。
【請求項４】
入力される複数の信号を混合する混合手段と、その混合手段で混合される信号を増幅する増幅手段とを備え、その増幅手段で増幅される信号をモノラル音として放音するスピーカ装置において、
モノラル信号を入力する第１の入力手段と、
その第１の入力手段に入力されたモノラル信号を互いに異なる特性を有する左信号と右信号とに変更する変更手段と、
別のスピーカ装置に入力された信号を入力する第２の入力手段と、
前記変更手段により変更された左信号又は右信号を出力する出力手段と、
前記変更手段により変更された左信号と右信号とを前記混合手段へ入力する場合と、前記出力手段に前記変更手段により変更された右信号と左信号の一方の信号を出力し、その他方の信号と前記第２の入力手段に入力された信号とを前記混合手段へ入力する場合とを切替える切替手段とを備えていることを特徴とするスピーカ装置。
【請求項５】
入力される左信号を増幅する左信号増幅手段と、入力される右信号を増幅する右信号増幅手段とを備え、前記左信号増幅手段と右信号増幅手段とによって増幅される信号をステレオ音として放音するスピーカ装置において、
モノラル信号を入力する第１の入力手段と、
その第１の入力手段に入力されたモノラル信号を互いに異なる特性を有する左信号と右信号とに変更する変更手段と、
別のスピーカ装置に入力された信号を入力する第２の入力手段と、
前記変更手段により変更された左信号又は右信号を出力する出力手段と、
複数の信号を混合する混合手段と、
前記変更手段により変更された左信号を前記左信号増幅手段に入力し、前記変更手段により変更された右信号を前記右信号増幅手段に入力する場合と、前記変更手段により変更された左信号又は右信号のいずれか一方を前記出力手段から出力するとともに、他方の信号と前記第２の入力手段から入力された信号とを前記混合手段により混合し、その混合手段により混合された信号を前記左信号増幅手段と前記右信号増幅手段とに入力する場合とを切り替える切替手段とを備えていることを特徴とするスピーカ装置。
【請求項６】
前記出力手段は、前記変更手段により変更された左信号を出力するステレオ拡張用左信号出力端子と、前記変更手段により変更された右信号を出力するステレオ拡張用右信号出力端子とのいずれかを備え、
前記切替手段は、前記ステレオ拡張用左信号出力端子又はステレオ拡張用右信号出力端子に送信ケーブルの一端が差し込まれた場合に切替えることを特徴とする請求項４又は５に記載のスピーカ装置。
【手続補正２】
【補正対象書類名】明細書
【補正対象項目名】全文
【補正方法】変更
【補正の内容】
【発明の詳細な説明】
【発明の名称】スピーカ装置
【技術分野】
【０００１】
本発明は、２台のスピーカ装置を利用してステレオ出力する場合に、各スピーカ装置の入力チャンネルを有効に利用することができるスピーカ装置に関する。
【背景技術】
【０００２】
従来より、入力されたステレオ信号を構成する左信号（以下「Ｌ信号」という）と右信号（以下「Ｒ信号」という）とをミキシングし、そのミキシングした信号を増幅して、モノラル音として放音するモノラル用のスピーカ装置が知られている。尚、次の特許文献１には、このモノラル用のスピーカ装置に搭載される音声出力回路に関する技術が開示されている。
【０００３】
一方で、このモノラル用のスピーカ装置を利用して入力されたステレオ信号をステレオ音として放音させたい場合がある。そこで、本出願人は、次の非特許文献１において、このモノラル用のスピーカ装置にステレオ拡張機能を搭載したスピーカ装置を提案している。
【０００４】
図８は、このステレオ拡張機能を搭載したスピーカ装置１００の電気的構成を説明するための図である。尚、スピーカ装置１００の各構成の具体的な説明については、後述するスピーカ装置１の説明を参照されたい。
【０００５】
このスピーカ装置１００によれば、第１入力チャンネル１０１にオーディオケーブル（図示せず）の一端を接続し、その他端を音源装置（図示せず）に接続すると、音源装置から出力されるステレオ信号はオーディオケーブルを介して第１入力チャンネル１０１から入力される。
【０００６】
入力されたステレオ信号は、ステレオミキシングプリアンプ部１０２を介して、入力されたステレオ信号のＬ信号がＬ信号用経路１０３、Ｒ信号がＲ信号用経路１０４からステレオ拡張回路１０５に入力される。
【０００７】
ステレオ拡張回路１０５は、入力されたステレオ信号をステレオ出力するためにＬ信号を別のスピーカ装置に出力するための回路であって、Ｌ信号用経路１０３とＲ信号用経路１０４との一端に接続された加算器１０７と、その加算器１０７に接続されたステレオ拡張用入力端子１０８と、Ｌ信号用経路１０３の途中に配置されたステレオ拡張用Ｌ信号出力端子１０９と、そのステレオ拡張用Ｌ信号出力端子１０９と加算器１０７との間に配置されたＬ信号用スイッチ１１０とによって構成されている。
【０００８】
ここで、まず、１台のスピーカ装置１００だけを利用して入力されたステレオ信号からモノラル信号を生成し、その生成したモノラル信号に基づいて放音する場合について説明する。この場合、Ｌ信号用スイッチ１１０はＬ信号用経路１０３を連結した状態にある。即ち、Ｌ信号用スイッチ１１０はステレオ拡張用Ｌ信号出力端子１０９にオーディオケーブル１１３（図９参照）が差し込まれるとＬ信号用経路１０３を遮断するように作動し、ステレオ拡張用Ｌ信号出力端子１０９にオーディオケーブル１１３（図９参照）が差し込まれていない状態（図８参照）では、Ｌ信号用経路１０３を連結した状態にある。
【０００９】
この状態で、上述したように、Ｌ信号用経路１０３およびＲ信号用経路１０４の各々からＬ信号とＲ信号とがステレオ拡張回路１０５に入力されると、そのＬ信号とＲ信号とは、加算器１０７において混合され、モノラル信号として生成される。生成されたモノラル信号は、マスターＶＲ１１１、ＡＭＰ１１２、モノラル用スピーカ１０６を介して放音される。
【００１０】
次に、図９を参照して、２台のスピーカ装置１００を利用して、入力されたステレオ信号をステレオ出力する場合について説明する。図９は、スピーカ装置１００とスピーカ装置１００Ａとを接続した状態を示す図である。
【００１１】
尚、スピーカ装置１００Ａはスピーカ装置１００と同じスピーカ装置であるため、スピーカ装置１００Ａの各構成の符号は、対応するスピーカ装置１００の各構成の符号に「Ａ」の文字を付したものとする。
【００１２】
また、スピーカ装置１００とスピーカ装置１００Ａとは、一端がスピーカ装置１００のステレオ拡張用Ｌ信号出力端子１０９に、他端がスピーカ装置１００Ａのステレオ拡張用入力端子１０８Ａに接続されたオーディオケーブル１１３を介して接続されており、この場合、スピーカ装置１００のＬ信号用スイッチ１１０は、Ｌ信号用経路１０３を遮断する状態になる。
【００１３】
よって、スピーカ装置１００において、Ｌ信号用経路１０３およびＲ信号用経路１０４の各々からステレオ拡張回路１０５に入力されるＬ信号とＲ信号のうちＬ信号は、Ｌ信号用経路１０３がＬ信号用スイッチ１１０によって遮断されているため、ステレオ拡張用Ｌ信号出力端子１０９、オーディオケーブル１１３を介してスピーカ装置１００Ａのステレオ拡張用入力端子１０８Ａに入力される。
【００１４】
そして、そのステレオ拡張用入力端子１０８Ａから、加算器１０７Ａ、マスターＶＲ１１１Ａ、ＡＭＰ１１２Ａ、モノラル用スピーカ１０６Ａを介して放音される。
【００１５】
一方、Ｒ信号は、そのままスピーカ装置１００のＲ信号用経路１０４から、加算器１０７、マスターＶＲ１１１、ＡＭＰ１１２、モノラル用スピーカ１０６を介して放音される。
【００１６】
このように、ステレオ拡張機能を搭載した２台のスピーカ装置１０１，１００Ａを利用することで、一方のスピーカ装置１００に入力されたステレオ信号のうちＬ信号は他方のスピーカ装置１００Ａから放音され、Ｒ信号は一方のスピーカ装置１００から放音されるので、入力されたステレオ信号をステレオ音として放音することができる。
【特許文献１】特開２００３−１７９９９２号公報
【非特許文献１】ローランド株式会社発行「ＫＣ−５５０／ＫＣ−３５０に関する取扱説明書」１２頁
【発明の開示】
【発明が解決しようとする課題】
【００１７】
しかしながら、上述したステレオ拡張機能を搭載したスピーカ装置１００では、他方のスピーカ装置１００Ａに出力することができる信号は、入力したステレオ信号のＬ信号とＲ信号とのうちいずれか一方の信号（上述した場合はＬ信号）に限られていた。
【００１８】
そのため、上述した例で言えば、たとえ他方のスピーカ装置１００Ａに音源装置を接続したとしても、その音源装置から入力されるステレオ信号のＲ信号をスピーカ装置１００に出力することはできないという問題点があった。
【００１９】
換言すれば、音源装置に接続できる入力チャンネル数は、スピーカ装置１００の入力チャンネル数に限定され、他方のスピーカ装置１００Ａの入力チャンネルを有効に利用することができないという問題点があった。
【００２０】
本発明は、上述した問題点を解決するためになされたものであり、２台のスピーカ装置を利用してステレオ出力する場合に、各スピーカ装置の入力チャンネルを有効に利用することができるスピーカ装置を提供することを目的としている。
【課題を解決するための手段】
【００２１】
この目的を達成するために請求項１記載のスピーカ装置は、入力される複数の信号を混合する混合手段と、その混合手段で混合される信号を増幅する増幅手段とを備え、その増幅手段で増幅される信号をモノラル音として放音するものであって、右信号と左信号とにより構成されるステレオ信号を入力する第１の入力手段と、別のスピーカ装置に入力された信号を入力する第２の入力手段と、前記第１の入力手段に入力された左信号又は右信号を出力する出力手段と、前記第１の入力手段に入力された左信号と右信号とを前記混合手段へ入力する場合と、前記出力手段から前記第１の入力手段に入力された左信号と右信号の一方の信号を出力し、他方の信号と前記第２の入力手段に入力された信号とを前記混合手段へ入力する場合とを切替える切替手段とを備えている。
【００２２】
請求項２記載のスピーカ装置は、入力される左信号を増幅する左信号増幅手段と、入力される右信号を増幅する右信号増幅手段とを備え、前記左信号増幅手段と右信号増幅手段とによって増幅される信号をステレオ音として放音するものであて、右信号と左信号とにより構成されるステレオ信号を入力する第１の入力手段と、別のスピーカ装置に入力された信号を入力する第２の入力手段と、前記第１の入力手段から入力される左信号又は右信号を出力する出力手段と、複数の信号を混合する混合手段と、前記第１の入力手段から入力された左信号を前記左信号増幅手段に入力し、前記第１の入力手段から入力された右信号を前記右信号増幅手段に入力する場合と、前記第１の入力手段から入力された左信号又は右信号のいずれか一方を前記出力手段から出力するとともに、他方の信号と前記第２の入力手段から入力された信号とを前記混合手段により混合し、その混合手段により混合される信号を前記左信号増幅手段と前記右信号増幅手段とに入力する場合とを切り替える切替手段とを備えている。
【００２３】
請求項３記載のスピーカ装置は、請求項１又は２に記載のスピーカ装置において、前記出力手段は、前記第１の入力手段から入力された左信号を出力するステレオ拡張用左信号出力端子と、前記第１の入力手段から入力された右信号を出力するステレオ拡張用右信号出力端子とのいずれかを備え、前記切替手段は、前記ステレオ拡張用左信号出力端子又はステレオ拡張用右信号出力端子に送信ケーブルの一端が差し込まれた場合に切替える。
【００２４】
請求項４記載のスピーカ装置は、入力される複数の信号を混合する混合手段と、その混合手段で混合された信号を増幅する増幅手段とを備え、その増幅手段で増幅された信号をモノラル音として放音するものであって、モノラル信号を入力する第１の入力手段と、その第１の入力手段に入力されたモノラル信号を互いに異なる特性を有する左信号と右信号とに変更する変更手段と、別のスピーカ装置に入力された信号を入力する第２の入力手段と、前記変更手段により変更された左信号又は右信号を出力する出力手段と、前記変更手段により変更された左信号と右信号とを前記混合手段へ入力する場合と、前記出力手段に前記変更手段により変更された右信号と左信号の一方の信号を出力し、その他方の信号と前記第２の入力手段に入力された信号とを前記混合手段へ入力する場合とを切替える切替手段とを備えている。
【００２５】
請求項５記載のスピーカ装置は、入力される左信号を増幅する左信号増幅手段と、入力される右信号を増幅する右信号増幅手段とを備え、前記左信号増幅手段と右信号増幅手段とによって増幅された信号をステレオ音として放音するものであって、モノラル信号を入力する第１の入力手段と、その第１の入力手段に入力されるモノラル信号を互いに異なる特性を有する左信号と右信号とに変更する変更手段と、別のスピーカ装置に入力された信号を入力する第２の入力手段と、前記変更手段により変更された左信号又は右信号を出力する出力手段と、複数の信号を混合する混合手段と、前記変更手段により変更された左信号を前記左信号増幅手段に入力し、前記変更手段により変更された右信号を前記右信号増幅手段に入力する場合と、前記変更手段により変更される左信号又は右信号のいずれか一方を前記出力手段から出力するとともに、他方の信号と前記第２の入力手段から入力された信号とを前記混合手段により混合し、その混合手段により混合された信号を前記左信号増幅手段と前記右信号増幅手段とに入力する場合とを切り替える切替手段とを備えている。
【００２６】
【００２７】
請求項６記載のスピーカ装置は、請求項４又は５に記載のスピーカ装置において、前記出力手段は、前記変更手段により変更された左信号を出力するステレオ拡張用左信号出力端子と、前記変更手段により変更された右信号を出力するステレオ拡張用右信号出力端子とのいずれかを備え、前記切替手段は、前記ステレオ拡張用左信号出力端子又はステレオ拡張用右信号出力端子に送信ケーブルの一端が差し込まれた場合に切替える。
【００２８】
【発明の効果】
【００２９】
請求項１記載のスピーカ装置によれば、第１の入力手段により入力されるステレオ信号を構成する左信号と右信号とが混合手段により混合されて増幅手段に入力される場合と、第１の入力手段により入力されたステレオ信号を構成する左信号と右信号のいずれかと第２の入力手段により入力された信号とが混合手段により混合されて増幅手段に入力される場合とが、切替手段により切り替えられる。第１の入力手段により入力されたステレオ信号を構成する左信号と右信号とが混合手段により混合されて増幅手段に入力される場合は、第１の入力手段に入力されたステレオ信号は、モノラル音として放音される。よって、本装置を単独で使用する場合には、入力されるステレオ信号をモノラル音として放音することができる。
【００３０】
一方、請求項１記載のスピーカ装置と同じスピーカ装置をもう１台用意し、各スピーカ装置の第１の入力手段からそれぞれステレオ信号を入力し、例えば、一方のスピーカ装置の出力手段から左信号を他方のスピーカ装置の第２の入力手段に出力し、他方のスピーカ装置の出力手段から右信号を一方のスピーカ装置の第２の入力手段に出力したとする。
【００３１】
この場合、一方のスピーカ装置においては、第１の入力手段から入力されるステレオ信号を構成する右信号と他方のスピーカ装置から出力され、第２の入力手段により入力された右信号とが混合手段で混合され、混合される信号は増幅手段によって増幅され放音される。
【００３２】
また、他方のスピーカ装置においては、第１の入力手段から入力されるステレオ信号を構成する左信号と一方のスピーカ装置から出力され、第２の入力手段により入力された左信号とが混合手段で混合され、混合される信号は増幅手段によって増幅され放音される。
【００３３】
従って、本装置を２台利用して、各スピーカ装置の第１の入力手段からそれぞれステレオ信号を入力した場合、そのステレオ信号をステレオ音として放音することができ、各スピーカ装置の第１の入力手段を有効に利用することができるという効果がある。
【００３４】
また、各スピーカ装置の第１の入力手段からステレオ信号を入力することができるので、例えば、２台のスピーカ装置を引き離して使用する場合に、近い方のスピーカ装置に音源装置を接続することができる。よって、スピーカ装置と音源装置とをオーディオケーブルを介して接続する接続作業の負担を軽減することができるという効果がある。
【００３５】
請求項２記載のスピーカ装置によれば、第１の入力手段から入力されたステレオ信号を構成する左信号と右信号とがそれぞれ左信号増幅手段と右信号増幅手段に入力される場合と、第１の入力手段から入力されるステレオ信号を構成する左信号又は右信号のいずれか一方の信号を出力手段から出力するとともに、他方の信号と第２の入力手段から入力された信号とを混合手段により混合し、その混合された信号を左信号増幅手段と右信号増幅手段とに入力する場合とが切替手段により切り替えられる。
よって、本装置を単独で使用する場合に、切替手段により第１の入力手段から入力された左信号と右信号とがそれぞれ左信号増幅手段と右信号増幅手段に入力されるように切り替えることにより、入力されるステレオ信号をステレオ音として放音することができる。
【００３６】
一方、請求項２記載のスピーカ装置と同じスピーカ装置をもう１台用意し、各スピーカ装置の第１の入力手段からそれぞれステレオ信号を入力し、例えば、一方のスピーカ装置の出力手段から左信号を他方のスピーカ装置の第２の入力手段に出力し、他方のスピーカ装置の出力手段から右信号を一方のスピーカ装置の第２の入力手段に出力したとする。
【００３７】
この場合、一方のスピーカ装置においては、一方のスピーカ装置の第１の入力手段から入力されたステレオ信号を構成する左信号と、他方のスピーカ装置の出力手段から出力され第２の入力手段から入力された左信号とが混合手段により混合されて左信号増幅手段および右信号増幅手段によって増幅され放音される。
【００３８】
【００３９】
また、他方のスピーカ装置においては、他方のスピーカ装置の第１の入力手段から入力されるステレオ信号を構成する右信号と、一方のスピーカ装置の出力手段から出力され第２の入力手段から入力された右信号とが混合手段により混合されて左信号増幅手段および右信号増幅手段によって増幅され放音される。
【００４０】
【００４１】
従って、本装置を２台利用して、各スピーカ装置の第１の入力手段からそれぞれステレオ信号を入力すれば、そのステレオ信号をステレオ音として放音することができ、各スピーカ装置の第１の入力手段を有効に利用することができるという効果がある。
【００４２】
また、各スピーカ装置の第１の入力手段からステレオ信号を入力することができるので、例えば、２台のスピーカ装置を引き離して使用する場合に、近い方のスピーカ装置に音源装置を接続することができる。よって、スピーカ装置と音源装置とをオーディオケーブルを介して接続する接続作業の負担を軽減することができるという効果がある。
【００４３】
請求項３記載のスピーカ装置によれば、請求項１又は２に記載のスピーカ装置の奏する効果に加え、切替手段は、ステレオ拡張用左信号出力端子またはステレオ拡張用右信号出力端子に送信ケーブルの一端が差し込まれた場合に、切替えるので、別のスピーカ装置に信号を出力する場合には、必ず必要な操作である送信ケーブルの一端をステレオ拡張用左信号出力端子またはステレオ拡張用右信号出力端子に差し込むという１つの操作だけで、他の操作をすることなく切替手段を作動させることができる。従って操作性を向上させることができるという効果がある。
【００４４】
請求項４記載のスピーカ装置によれば、モノラル信号が第１の入力手段により入力され、そのモノラル信号は、変更手段により互いに異なる特性を有する左信号と右信号とに変更される。別のスピーカ装置に入力される信号が第２の入力手段により入力され、変更手段により変更された左信号又は右信号が出力手段により出力される。そして、変更手段により変更された左信号と右信号とを混合手段へ入力する場合と、出力手段に変更手段により変更された右信号と左信号の一方の信号を出力し、その他方の信号と第２の入力手段に入力される信号とを混合手段へ入力する場合が切替手段により切り替えられる。
よって、切替手段により変更手段により変更された左信号と右信号とを混合手段へ入力する場合に切り替えられた場合は、スピーカ装置単体で、入力されるモノラル信号をモノラル音として出力することができる。
一方、請求項４記載のスピーカ装置と同じスピーカ装置をもう１台用意し、各スピーカ装置の第１の入力手段からそれぞれモノラル信号を入力し、変更手段により変更された左信号を他方のスピーカ装置の第２の入力手段に出力し、他方のスピーカ装置の出力手段から変更手段により変更された右信号を第２の入力手段に出力したとする。
この場合、一方のスピーカ装置においては、一方のスピーカ装置の変更手段により変更された左信号と、他方のスピーカ装置の出力手段から出力された左信号とが混合手段により混合され増幅手段によって増幅され放音される。
また、他方のスピーカ装置においては、他方のスピーカ装置の変更手段によって変更された右信号と、一方のスピーカ装置の変更手段により変更され、第２の入力手段をから入力される右信号とは混合手段により混合され、他方のスピーカ装置の増幅手段によって増幅され放音される。
したがって、本装置を単独で使用する場合は、モノラル音を出力することができるとともに、本装置を２台利用して、各スピーカ装置の第１の入力手段からそれぞれモノラル信号を入力すれば、そのモノラル信号をステレオ信号に変更し、ステレオ音として放音することができ、各スピーカ装置の第１の入力手段を有効に利用することができるという効果がある。
【００４５】
請求項５記載のスピーカ装置によれば、モノラル信号が第１の入力手段により入力され、その入力されるモノラル信号は、互いに異なる特性を有する左信号と右信号とに変更手段により変更される。別のスピーカ装置に入力される信号が第２の入力手段により入力され、変更手段により変更された左信号又は右信号が出力手段により出力される。複数の信号を混合する混合手段を有し、変更手段により変更された左信号を左信号増幅手段に入力し、変更手段により変更された右信号を右信号増幅手段に入力する場合と、変更手段により変更された左信号又は右信号のいずれか一方を出力手段から出力するとともに、他方の信号と第２の入力手段から入力された信号とを混合手段により混合し、その混合手段により混合された信号を左信号増幅手段と右信号増幅手段とに入力する場合とが切替手段により切り替えられる。
【００４６】
よって、変更手段により変更された左信号と右信号とがそれぞれ左信号増幅手段と右信号増幅手段とに入力されるように切替手段により切り替えられた場合は、本装置単独で、入力されるモノラル信号を左信号と右信号とに変更し、その変更された信号をステレオ音として放音することができる。
一方、請求項４記載のスピーカ装置と同じスピーカ装置をもう１台用意し、各スピーカ装置の第１の入力手段からそれぞれモノラル信号を入力し、例えば、一方のスピーカ装置の出力手段から変更手段により変更された左信号を他方のスピーカ装置の第２の入力手段に出力し、他方のスピーカ装置の出力手段から変更手段により変更された右信号を一方のスピーカ装置の第２の入力手段に出力したとする。
この場合、一方のスピーカ装置においては、一方のスピーカ装置の変更手段により変更された右信号と、他方のスピーカ装置の出力手段から出力された右信号とが混合手段により混合されて左信号増幅手段および右信号増幅手段によって増幅され放音される。
また、他方のスピーカ装置においては、他方のスピーカ装置の変更手段により変更された左信号と、他方のスピーカ装置の出力手段から出力された左信号とが混合手段により混合されて左信号増幅手段および右信号増幅手段によって増幅され放音される。
よって、本装置を単独で使用する場合は、入力されるモノラル音をステレオ音に変更して出力することができるとともに、本装置を２台利用して、各スピーカ装置の変更手段により変更された左信号を１台の本装置で放音し、右信号をもう１台の本装置で放音し、ステレオ音として放音することができ、各スピーカ装置の第１の入力手段を有効に利用することができるという効果がある。
【００４７】
請求項６記載のスピーカ装置によれば、請求項４又は５に記載のスピーカ装置の奏する効果に加え、切替手段は、ステレオ拡張用左信号出力端子またはステレオ拡張用右信号出力端子に送信ケーブルの一端が差し込まれた場合に、切替えるので、別のスピーカ装置に信号を出力する場合には、必ず必要な操作である送信ケーブルの一端をステレオ拡張用左信号出力端子またはステレオ拡張用右信号出力端子に差し込むという１つの操作だけで、他の操作をすることなく切替手段を作動させることができる。従って操作性を向上させることができるという効果がある。
【００４８】
【発明を実施するための最良の形態】
【００４９】
以下、本発明の好ましい実施例について、添付図面を参照して説明する。図１（ａ）はスピーカ装置１の正面図であり（ｂ）はスピーカ装置１の背面図である。スピーカ装置１は、２台のスピーカ装置１を利用してステレオ出力する場合に、各スピーカ装置１の入力チャンネルを有効に利用することができる装置である。
【００５０】
スピーカ装置１は、図１（ａ）に示すように、その正面側の中央部分にメッシュプレート２の背後に単一のスピーカ３が配置され、下方部分に１列に並んだ各種操作子群４が配置されている。
【００５１】
単一のスピーカ３は、生成されたモノラル信号を外部に放音するためのものである。スピーカ装置１では、ステレオ信号が入力されたとしても、そのステレオ信号からモノラル信号が生成される。よって、単一のスピーカ３を搭載すれば足りるので、スピーカ装置１を小型にすることができる。
【００５２】
操作子群４は、左から順番に第１入力チャンネル用音量調節操作子５と、第２入力チャンネル用音量調節操作子６と、第３入力チャンネル用音量調節操作子７と、ヘッドホン用音量調節操作子８と、ヘッドホン用出力端子９と、イコライザ用操作子群１０と、マスター用音量調節操作子１１と、電源スイッチ１２とを備えている。
【００５３】
第１、第２、第３入力チャンネル用音量調節操作子５，６，７の各々は、後述する第１、第２、第３入力チャンネル１４，１５，１６の各々に対応して設けられており、第１、第２、第３入力チャンネル１４，１５，１６の各々を介して入力される各信号の音量を調節する操作子である。
【００５４】
これらの音量調節操作子５，６，７は、回転可能に構成されており、これらの音量調節操作子５，６，７を右回転させると入力された信号の音量をアップさせ、左回転させるとダウンさせることができる。
【００５５】
ヘッドホン用音量調節操作子８は、ヘッドホン用出力端子９に接続されたヘッドホンに出力する音の音量を調節する操作子であり、第１入力チャンネル用音量調節操作子５等と同様に構成され、同様に作用する。
【００５６】
ヘッドホン用出力端子９は、後述する第１、第２、第３入力チャンネル１４，１５，１６から入力される信号をヘッドホンにステレオ出力する端子である。ヘッドホン用出力端子９にヘッドホンに装備されている入力端子を差込むことで、入力された信号がヘッドホンにステレオ出力される。
【００５７】
イコライザ用操作子群１０は、モノラル用スピーカ３から放音する音の音質を調節する操作子であって、低周波数帯の音を調節する低周波数帯用操作子１０ａと高周波数帯の音を調節する高周波数帯用操作子１０ｂとを備えている。
【００５８】
低周波数帯用操作子１０ａと高周波数帯用操作子１０ｂとは、共に回転可能に構成されており、各操作子１０ａ，１０ｂを右回転させると各周波数帯の音をブーストでき、左回転させると各周波数帯の音をカットすることができる。
【００５９】
マスター用音量調節操作子１１は、モノラル用スピーカ３から放音する音の音量を調節する操作子であって、第１入力チャンネル用音量調節操作子５等と同様に構成され、同様に作用する。
【００６０】
電源スイッチ１２は、スピーカ装置１への電源の供給と遮断とを切り替える押しボタン式のスイッチである。この電源スイッチ１２が押し込まれると、その押し込まれた状態を維持してスピーカ装置１に電源が供給され続け、押し込まれた状態の電源スイッチ１２を再度、押し込むことで電源供給が遮断される。
【００６１】
また、スピーカ装置１には、図１（ｂ）に示すように、その背面側の中央部分に上下２段からなる各種チャンネル群１３が配置されている。各種チャンネル群１３は、上段の右から順に第１入力チャンネル１４と、第２入力チャンネル１５と、第３入力チャンネル１６と、下段にステレオ拡張用チャンネル１７とを備えている。
【００６２】
第１入力チャンネル１４は、マイク装置や音源装置から出力されるモノラル信号を入力するチャンネルであって、第１モノラル用入力端子１４ａと、第２モノラル用入力端子１４ｂとを備えている。第１モノラル用入力端子１４ａと、第２モノラル用入力端子１４ｂとは、その形状を異にし、この第１，第２モノラル用入力端子１４ａ，１４ｂに差込むプラグの形状に応じて使い分けられる。
【００６３】
例えば、第２モノラル用入力端子１４ｂに差込み可能なプラグを有するオーディオケーブルを利用する場合には、その一端のプラグをモノラル信号用入力端子１４ｂに差込み、他端を音源装置に差し込むことで、音源装置から出力されるモノラル信号がオーディオケーブルを介してモノラル信号用入力端子１４ｂに入力される。
【００６４】
第２入力チャンネル１５は、音源装置から出力されるステレオ信号を構成するＬ信号とＲ信号とを入力するチャンネルであって、そのＬ信号を入力するＬ信号用入力端子１５ａと、Ｒ信号を入力するＲ信号用入力端子１５ｂとを備えている。
【００６５】
第３入力チャンネル１６は、第２入力チャンネル１５に接続される音源装置とは別の音源装置から出力されるステレオ信号を構成するＬ信号とＲ信号とを入力するチャンネルであって、Ｌ信号を入力するＬ信号用入力端子１６ａと、Ｒ信号を入力するＲ信号用入力端子１６ｂとを備えている。
【００６６】
このように複数の第１、第２，第３入力チャンネル１４，１５，１６を設けることで、複数の音源装置から出力される信号を１つのスピーカ装置１に入力することができる。
【００６７】
ステレオ拡張用チャンネル１７は、２台のスピーカ装置１を利用して、ステレオ出力する場合に使用するためのものであり、右から順番にステレオ拡張用入力端子１８と、ステレオ拡張用Ｌ信号出力端子１９ａと、ステレオ拡張用Ｒ信号出力端子１９ｂとを備えている。
【００６８】
ステレオ拡張用入力端子１８は、スピーカ装置１とは別のスピーカ装置において入力されたステレオ信号のＬ信号やＲ信号を入力する端子である。ステレオ拡張用Ｌ信号出力端子１９ａは、スピーカ装置１に入力されたステレオ信号のＬ信号とＲ信号のうちＬ信号を、ステレオ拡張用Ｒ信号出力端子１９ｂはＲ信号を別のスピーカ装置に出力する端子である。
【００６９】
具体的には、２台のスピーカ装置１を用意し、例えば、オーディオケーブルの一端を一方のスピーカ装置１のステレオ拡張用Ｌ信号出力端子１９ａに差込み、他端を他方のスピーカ装置１のステレオ拡張用入力端子１８に差し込む。また、別のオーディオケーブルの一端を他方のスピーカ装置１のステレオ拡張用Ｒ信号出力端子１９ｂに差込み、他端を一方のスピーカ装置１のステレオ拡張用入力端子１８に差し込む。
【００７０】
この状態で各スピーカ装置１にＬ信号とＲ信号とからなるステレオ信号を入力すると、一方のスピーカ装置１に入力したステレオ信号のうちＬ信号は、ステレオ拡張用Ｌ信号出力端子１９ａ、オーディオケーブル、他方のスピーカ装置１のステレオ拡張用入力端子１８を介して他方のスピーカ装置１に入力される。そして、他方のスピーカ装置１から入力されたステレオ信号のＬ信号と混合され、他方のスピーカ装置１から放音される。
【００７１】
一方、他方のスピーカ装置１に入力したステレオ信号のうちＲ信号は、ステレオ拡張用Ｒ信号出力端子１９ｂ、オーディオケーブル、一方のスピーカ装置１のステレオ拡張用入力端子１８を介して一方のスピーカ装置１に入力される。そして、一方のスピーカ装置１に入力されたステレオ信号のＲ信号と混合され、一方のスピーカ装置１から放音される。
【００７２】
このように、２台のスピーカ装置１を利用することで、各スピーカ装置１に入力されたステレオ信号をステレオ出力することができる。
【００７３】
図２は、スピーカ装置１の電気的な構成を説明するための図である。スピーカ装置１は、第１、第２、第３入力チャンネル１４、１５、１６と接続されているステレオミキシングプリアンプ部２０と、そのステレオミキシングプリアンプ部２０とＬ信号用経路２１およびＲ信号用経路２２を介して接続されているステレオ拡張回路２３と、そのステレオ拡張回路２３とモノラル用信号経路２４を介して接続されているマスターボリューム２５（以下、「マスターＶＲ２５」という）と、そのマスターＶＲ２５とモノラル用信号経路２６を介して接続されているアンプ２７（以下、「ＡＭＰ２７」という）とを備えている。尚、図１で説明したモノラル用スピーカ３は、モノラル用信号経路２８を介してＡＭＰ２７と接続されている。
【００７４】
ステレオミキシングプリアンプ部２０は、第１、第２、第３入力チャンネル用音量調節操作子５、６、７を含み、その各音量調節操作子５等の操作状況を検出し、その操作状況に応じて第１、第２、第３入力チャンネル１４、１５、１６の各々から入力される各信号の音量を調節する。
【００７５】
また、ステレオミキシングプリアンプ部２０は、その音量が調節された各信号を混合し、１つのステレオ信号を生成し、その生成した１つのステレオ信号を構成するＬ信号をＬ信号用経路２１に出力し、Ｒ信号をＲ信号用経路２２に出力する。
【００７６】
ここで、図３を参照してステレオミキシングプリアンプ部２０の電気的構成について説明する。図３は、ステレオミキシングプリアンプ部２０の電気的構成を説明するための図である。ステレオミキシングプリアンプ部２０は、第１加算器３３と、第１入力チャンネル用可変抵抗器３４と、第２入力チャンネル用可変抵抗器３５と、第３入力チャンネル用可変抵抗器３６と、第２加算器３７と、第３加算器３８とを備えている。
【００７７】
第１加算器３３は、第１モノラル用入力端子１４ａと、第２モノラル用入力端子１４ｂとの各々と接続され、その第１モノラル用入力端子１４ａと、第２モノラル用入力端子１４ｂとの各々から入力されるモノラル信号を加算する。
【００７８】
第１入力チャンネル用可変抵抗器３４は、第１加算器３３と、図示しない第１入力チャンネル用音量調節操作子５と接続されている。よって、この第１入力チャンネル用音量調節操作子５の操作状況に応じて第１入力チャンネル用可変抵抗器３４の抵抗が変更され、第１加算器３３から入力されるモノラル信号の音量が調節される。
【００７９】
第２入力チャンネル用可変抵抗器３５は、Ｌ信号用可変抵抗器３５ａとＲ信号用可変抵抗器３５ｂとを備え、第２入力チャンネル１５から入力されるステレオ信号の音量を調節する。
【００８０】
具体的には、Ｌ信号用可変抵抗器３５ａはＬ信号用入力端子１５ａと、Ｒ信号用可変抵抗器３５ｂはＲ信号用入力端子１５ｂと接続され、また、Ｌ信号用可変抵抗器３５ａとＲ信号用可変抵抗器３５ｂとには、共通する図示しない第２入力チャンネル用音量調節操作子６が接続されている。
【００８１】
よって、この第２入力チャンネル用音量調節操作子６の操作状況に応じてＬ信号用可変抵抗器３５ａとＲ信号用可変抵抗器３５ｂとの抵抗が共通して変更され、Ｌ信号用入力端子１５ａから入力されるＬ信号はＬ信号用可変抵抗器３５ａにおいて、Ｒ信号用入力端子１５ｂから入力されるＲ信号はＲ信号用可変抵抗器３５ｂにおいて共通した音量に調節される。
【００８２】
第３入力チャンネル用可変抵抗器３６は、Ｌ信号用可変抵抗器３６ａとＲ信号用可変抵抗器３６ｂとを備え、第３入力チャンネル１６から入力されるステレオ信号の音量を調節する。この第３入力チャンネル用可変抵抗器３６は、第２入力チャンネル用可変抵抗器３５と同様に作用するので、その説明は省略する。
【００８３】
第２加算器３７は、第１入力チャンネル用可変抵抗器３４と、第２入力チャンネル用可変抵抗器３５のＬ信号用可変抵抗器３５ａと、第３入力チャンネル用可変抵抗器３６のＬ信号用可変抵抗器３６ａと接続され、第１入力チャンネル用可変抵抗器３４から入力されるモノラル信号と、各Ｌ信号用可変抵抗器３５ａ，３６ａから入力される各Ｌ信号とを加算する。また、この第２加算器３７はＬ信号用経路２１と接続されており、第２加算機３７で加算された信号は、Ｌ信号としてＬ信号用経路２１に出力される。
【００８４】
第３加算器３８は、第１入力チャンネル用可変抵抗器３４と、第２入力チャンネル用可変抵抗器３５のＲ信号用可変抵抗器３５ｂと、第３入力チャンネル用可変抵抗器３６のＲ信号用可変抵抗器３６ｂと接続され、第１入力チャンネル用可変抵抗器３４から入力されるモノラル信号と、各Ｒ信号用可変抵抗器３５ｂ，３６ｂから入力される各Ｒ信号とを加算する。また、この第３加算器３８はＲ信号用経路２２と接続されており、第３加算機３８で加算された信号は、Ｒ信号としてＲ信号用経路２２に出力される。
【００８５】
このように構成されたステレオミキシングプリアンプ部２０によれば、第１、第２、第３入力チャンネル用可変抵抗器３４，３５，３６を介して第１、第２、第３入力チャンネル１４，１５，１６の各々から入力される各信号の音量を調節することができる。また、第２加算器３７、第３加算器３８を介して音量が調節された各信号を混合し、１つのステレオ信号を生成し、その生成された１つのステレオ信号を構成するＬ信号をＬ信号用経路２１に、Ｒ信号をＲ信号用経路２２に出力することができる。
【００８６】
再び、図２に戻り説明を続ける。ステレオ拡張回路２３は、２台のスピーカ装置１を利用してステレオ出力するための回路であって、Ｌ信号用経路２１とＲ信号用経路２２との一端に接続された加算器３０と、Ｌ信号用経路２１の途中に配置されたＬ信号用スイッチ３１と、Ｒ信号用経路２２の途中に配置されたＲ信号用スイッチ３２とを備えている。
【００８７】
また、ステレオ拡張回路２３は、上述したステレオ拡張用入力端子１８と、ステレオ拡張用Ｌ信号出力端子１９ａと、ステレオ拡張用Ｒ信号出力端子１９ｂとを含み、ステレオ拡張用入力端子１８は加算器３０と接続され、ステレオ拡張用Ｌ信号出力端子１９ａはＬ信号用スイッチ３１よりもステレオミキシングプリアンプ部２０側のＬ信号用経路２１の途中に接続され、ステレオ拡張用Ｒ信号出力端子１９ｂは、Ｒ信号用スイッチ３２よりもステレオミキシングプリアンプ部２０側のＲ信号用経路２２の途中に接続されている。
【００８８】
加算器３０は、入力された信号を混合し、モノラル信号を生成するためのものであって、生成されたモノラル信号をモノラル用信号経路２４を介してしマスターＶＲ２５に出力する。
【００８９】
Ｌ信号用スイッチ３１は、ステレオ拡張用Ｌ信号出力端子１９ａにオーディオケーブルの一端が差込まれた場合に、加算器３０に通じるＬ信号用経路２１を遮断するためのスイッチである。
【００９０】
通常、Ｌ信号用スイッチ３１は、ステレオミキシングプリアンプ部２０と加算器３０とを結ぶＬ信号用経路２１を連結する状態にあり、この場合には、Ｌ信号用経路２１から送信されるＬ信号は、加算器３０に入力される。
【００９１】
一方、ステレオ拡張用Ｌ信号出力端子１９ａにオーディオケーブルの一端が差込まれると、その圧力により機械的にＬ信号用スイッチ３１が作動してＬ信号用経路２１を遮断する。
【００９２】
よって、この場合には、Ｌ信号用経路２１を通るＬ信号は、加算器３０には入力されず、ステレオ拡張用Ｌ信号出力端子１９ａに入力される。尚、ステレオ拡張用Ｌ信号出力端子１９ａからオーディオケーブルの一端が引き抜かれると、Ｌ信号用スイッチ３１は通常の状態に復帰する。
【００９３】
Ｒ信号用スイッチ３２は、ステレオ拡張用Ｒ信号出力端子１９ｂにオーディオケーブルの一端が差込まれた場合に、加算器３０に通じるＲ信号用経路２２を遮断するためのスイッチである。
【００９４】
通常、Ｒ信号用スイッチ３２は、ステレオミキシングプリアンプ部２０と加算器３０とを結ぶＲ信号用経路２２を連結する状態にあり、この場合には、Ｒ信号用経路２２から送信されるＲ信号は、加算器３０に入力される。
【００９５】
一方、ステレオ拡張用Ｒ信号出力端子１９ｂにオーディオケーブルの一端が差込まれると、その圧力により機械的にＲ信号用スイッチ３２が作動してＲ信号用経路２２を遮断する。
【００９６】
よって、この場合には、Ｒ信号用経路２２を通るＲ信号は、加算器３０には入力されず、ステレオ拡張用Ｒ信号出力端子１９ｂに入力される。尚、ステレオ拡張用Ｒ信号出力端子１９ｂからオーディオケーブルの一端が引き抜かれると、Ｒ信号用スイッチ３２は通常の状態に復帰する。
【００９７】
マスターＶＲ２５は、上述したマスター用音量調節操作子１１を含み、そのマスター音量調節操作子１１の操作状況を検出し、その操作状況に応じてステレオ拡張回路２３の加算器３０から出力されるモノラル信号の音量を調節する。また音量を調節したモノラル信号をモノラル信号用経路２６を介してアンプ２７に出力する。
【００９８】
ＡＭＰ２７は、上述した低周波数帯用操作子１０ａと高周波数帯用操作子１０ｂとを含み、その低周波数帯用操作子１０ａと高周波数帯用操作子１０ｂの操作状況を検出し、その操作状況に応じてマスターＶＲ２５から出力されるモノラル信号の音質を調節する。また、入力された信号を増幅して、その信号をモノラル信号用経路２８を介してモノラル用スピーカ３に出力する。
【００９９】
また、図１において説明したヘッドホン用出力端子９が、ステレオミキシングプリアンプ部２０とステレオ拡張回路２３との間のＬ信号用経路２１およびＲ信号用経路２２の途中に接続されている。
【０１００】
よって、このヘッドホン用出力端子９にヘッドホンが接続された場合には、ステレオミキシングプリアンプ部２０からＬ信号用経路２１およびＲ信号用経路２２の各々を通るＬ信号とＲ信号とは、ステレオ拡張回路に出力される他、ヘッドホン用出力端子９を介してヘッドホンにステレオ出力される。尚、ヘッドホンだけから放音する場合には、マスター用音量調節操作子１１を操作してモノラル用スピーカ３から放音される音量が「０」になるように調節する。
【０１０１】
次に、上述したように構成されたスピーカ装置１において、例えば、第２、第３入力チャンネル１５，１６の各々に図示しないオーディオケーブルを介して音源装置が接続され、その各音源装置から出力される各ステレオ信号が、第２、第３入力チャンネル１５，１６から入力された場合について説明する。
【０１０２】
尚、ステレオ拡張用入力端子１８、ステレオ拡張用Ｌ信号出力端子１９ａ、ステレオ拡張用Ｒ信号出力端子１９ｂにはオーディオケーブルが接続されておらず、ステレオミキシングプリアンプ部２０と加算器３０とは、Ｌ信号用経路２１およびＲ信号用経路２２を介して連結された状態にあるものとする。
【０１０３】
この状態において、第２、第３入力チャンネル１５，１６から入力された各ステレオ信号は、ステレオミキシングプリアンプ部２０において各ステレオ信号の音量が調節された後に混合され、１つのステレオ信号として生成され、その１つのステレオ信号を構成するＬ信号はＬ信号用経路２１、Ｒ信号はＲ信号用経路２２を通ってステレオ拡張回路２３に出力される。
【０１０４】
ステレオ拡張回路２３に出力されたＬ信号とＲ信号とは、加算器３０において混合され、モノラル信号としてモノラル信号用経路２４を介してマスターＶＲ２５に出力される。マスターＶＲ２５に出力されたモノラル信号は、マスターＶＲ２５において音量が調節された後、モノラル用信号経路２６を介してＡＭＰ２７に出力される。ＡＭＰ２７に出力されたモノラル信号は、ＡＭＰ２７において音質が調節された後、モノラル用信号経路２８、モノラル用スピーカ３を介して外部に放音される。
【０１０５】
このように、このスピーカ装置１は、複数のステレオ信号が入力されたとしても、その入力されたステレオ信号からモノラル信号を生成することで、単一のモノラル用スピーカ３から放音することができる。
【０１０６】
次に、図４を参照して、２台のスピーカ装置１（一方をスピーカ装置１、他方をスピーカ装置１Ａとする）を利用して、各スピーカ装置１、１Ａに入力された信号をステレオ出力する場合について説明する。
【０１０７】
図４は、２台のスピーカ装置１，１Ａを接続した状態を示す図である。尚、スピーカ装置１とスピーカ装置１Ａとは同じであるため、スピーカ装置１Ａの各構成の符号は、対応するスピーカ装置１の各構成の符号に「Ａ」の文字を付し、その説明を省略する。
【０１０８】
また、本実施例では、スピーカ装置１のステレオ拡張用Ｌ信号出力端子１９ａとスピーカ装置１Ａのステレオ拡張入力端子１８Ａとをオーディオケーブル４０で接続し、スピーカ装置１のステレオ拡張入力端子１８とスピーカ装置１Ａのステレオ拡張用Ｒ信号出力端子１９ｂＡとをオーディオケーブル４１で接続することで、スピーカ装置１とスピーカ装置１Ａとを接続する。
【０１０９】
よって、スピーカ装置１のＬ信号用スイッチ３１は作動してＬ信号用経路３１を遮断し、Ｒ信号用スイッチ３２は作動せずＲ信号用経路２２を連結する。また、スピーカ装置１ＡにおけるＬ信号用スイッチ３１Ａは作動せずＬ信号用経路２１Ａを連結し、Ｒ信号用スイッチ３２Ａは作動してＲ信号用経路２２Ａを遮断する。
【０１１０】
この状態で、例えば、スピーカ装置１の第２、第３入力チャンネル１５，１６からステレオ信号を入力すると、その入力された各ステレオ信号は、上述したのと同様に、ステレオミキシングプリアンプ部２０において１つのステレオ信号として生成され、そのステレオ信号を構成するＬ信号はＬ信号用経路２１、Ｒ信号はＲ信号用経路２２を通ってステレオ拡張回路２３に出力される。
【０１１１】
ステレオ拡張回路２３に出力されたＬ信号とＲ信号のうち、Ｌ信号はＬ信号用スイッチ３１によってＬ信号用経路２１が遮断されているため、ステレオ拡張用Ｌ信号出力端子１９ａ、オーディオケーブル４０、スピーカ装置１Ａのステレオ拡張用入力端子１８Ａを介してスピーカ装置１Ａの加算器３０Ａに出力される。
【０１１２】
一方、Ｒ信号は、Ｒ信号用スイッチ３２がＲ信号用経路２２を連結する状態にあるため、加算器３０に出力される。
【０１１３】
また、スピーカ装置１Ａにも第２、第３入力チャンネル１５Ａ，１６Ａからステレオ信号を入力すると、その入力された各ステレオ信号は、上述したのと同様に、ステレオミキシングプリアンプ部２０Ａにおいて１つのステレオ信号として生成され、そのステレオ信号を構成するＬ信号はＬ信号用経路２１Ａ、Ｒ信号はＲ信号用経路２２Ａを通ってステレオ拡張回路２３Ａに出力される。
【０１１４】
ステレオ拡張回路２３Ａに出力されたＬ信号とＲ信号のうち、Ｌ信号はＬ信号用スイッチ３１ＡがＬ信号用経路２１Ａを連結する状態にあるため、加算器３０Ａに出力される。
【０１１５】
一方、Ｒ信号は、Ｒ信号用スイッチ３２ＡによってＲ信号用経路２２Ａが遮断されているため、ステレオ拡張用Ｒ信号出力端子１９ｂＡ、オーディオケーブル４１、スピーカ装置１のステレオ拡張用入力端子１８を介してスピーカ装置１の加算器３０に出力される。
【０１１６】
こうして、スピーカ装置１の加算器３０にスピーカ装置１ＡからＲ信号が出力されると共に、スピーカ装置１のＲ信号用経路２２を通ってＲ信号が出力されると、これらのＲ信号が加算器３０において混合され、モノラル信号として生成される。生成されたモノラル信号は、上述したのと同様に、マスターＶＲ２５、ＡＭＰ２７、モノラル用スピーカ３を介して外部に放音される。
【０１１７】
一方、スピーカ装置１Ａの加算器３０Ａに、スピーカ装置１からＬ信号が出力されると共に、スピーカ装置１ＡのＬ信号用経路２１Ａを通ってＬ信号が出力されると、これらのＬ信号が加算器３０Ａにおいて混合され、モノラル信号として生成される。生成されたモノラル信号は、上述したのと同様に、マスターＶＲ２５Ａ、ＡＭＰ２７Ａ、モノラル用スピーカ３Ａを介して外部に放音される。
【０１１８】
このように、２台のスピーカ装置１，１Ａを利用することで、各スピーカ装置１，１Ａから入力されたステレオ信号をステレオ出力することができる。
【０１１９】
図５は、ステレオミキシングプリアンプ部２０の部分的な電気的構成を説明するための図である。（ａ）は、ステレオミキシングプリアンプ部２０にパンＶＲ回路５０を搭載した場合を示し、（ｂ）はステレオミキシングプリアンプ部２０にピッチ変調回路６０を搭載した場合を示している。尚、上述した構成と同一の構成については、同一の符号を付し、その説明を省略する。
【０１２０】
まず、ステレオミキシングプリアンプ部２０にパンＶＲ回路５０を搭載した場合について説明する。パンＶＲ回路５０は、モノラル信号をＬ信号とＲ信号とに分離し、その分離したＬ信号とＲ信号との音量を調節するための回路である。
【０１２１】
パンＶＲ回路５０は、モノラル信号用入力端子１４ｂに接続された可変抵抗器５０ａと、その可変抵抗器５０ａの一端に接続されたＬ信号用出力端子５０ｂと、他端に接続されたＲ信号用出力端子５０ｃとを備え、Ｌ信号用出力端子５０ｂは上述したＬ信号用経路２１と、Ｒ信号用出力端子５０ｃは上述したＲ信号用経路２2と各々接続されている。また、可変抵抗器５０ａには、この可変抵抗器５０ａの抵抗を使用者が適宜可変させるための操作子として図示しないバランス調節つまみが接続されているものとする。
【０１２２】
このパンＶＲ回路５０によれば、モノラル信号用入力端子１４ｂを介して入力されるモノラル信号は、バランス調節つまみの操作状況に応じて所定の抵抗に設定された可変抵抗器５０ａにおいて、音量が調節されたＬ信号とＲ信号とに変更される。そして、そのＬ信号はＬ信号用出力端子５０ｂを介してＬ信号用経路２１に、Ｒ信号はＲ信号用出力端子５０ｃを介してＲ信号用経路２２に各々出力される。
【０１２３】
よって、このパンＶＲ回路５０を搭載した２台のスピーカ装置１，１Ａを図４において説明したのと同様に接続することで、各スピーカ装置１，１Ａの各モノラル信号用入力端子１４ｂ，１４ｂＡから入力されるモノラル信号に関し、スピーカ装置１から各スピーカ装置１，１ＡのパンＶＲ回路５０において音量が調節されたＬ信号を、スピーカ装置１Ａから各スピーカ装置１Ａ，１のパンＶＲ回路５０において音量が調節されたＲ信号を各々放音することができる。
【０１２４】
尚、パンＶＲ回路５０は、上記のように可変抵抗器５０ａとバランス調節つまみとを用いて構成する代わりに、入力信号を電圧制御により増幅して出力するＶＣＡ（電圧制御増幅器）をＬＦＯ（低周波発振器）からの低周波により制御するように構成したり、あるいはＡＤ変換器、ＤＡ変換器とともにＤＳＰ（Ｄｉｇｉｔａｌ Ｓｉｇｎａｌ Ｐｒｏｃｅｓｓｏｒ：デジタル信号処理装置）を用いて構成することにより、音量変化の周期や深さ等を表すパラメータに応じて、Ｌ信号およびＲ信号の音量変化を自動制御するオート・パンポットとして構成することもできる。
【０１２５】
次に、図５（ｂ）を参照して、ステレオミキシングプリアンプ部２０にピッチ変調回路６０を搭載した場合について説明する。ピッチ変調回路６０は、モノラル信号をＬ信号とＲ信号とに分離し、その分離したＬ信号とＲ信号とのピッチを変調するための回路である。
【０１２６】
ピッチ変調回路６０は、モノラル信号用入力端子１４ｂに接続されたピッチ変調器６０ａと、そのピッチ変調器６０ａに接続されたＬ信号用出力端子６０ｂと、Ｒ信号用出力端子６０ｃとを備え、Ｌ信号用出力端子６０ｂは上述したＬ信号用経路２１と、Ｒ信号用出力端子６０ｃは上述したＲ信号用経路２２と各々接続されている。
【０１２７】
このピッチ変調回路６０によれば、モノラル信号用入力端子１４ｂを介して入力されるモノラル信号は、ピッチ変調器６０ａにおいて、図示しない低周波発振器（ＬＦＯ）からの低周波に基づき互いに異なるピッチに変調されたＬ信号とＲ信号とに変更され、Ｌ信号はＬ信号用出力端子６０ｂを介してＬ信号用経路２１に、Ｒ信号はＲ信号用出力端子６０ｃを介してＲ信号用経路２２に各々出力される。尚、図５（ｂ）においては、ピッチ変調回路６０によって生成されるＬ信号のピッチとＲ信号のピッチとを互いに逆相の波形により変更する場合を図示している。
【０１２８】
よって、このピッチ変調回路６０を搭載した２台のスピーカ装置１，１Ａを図４において説明したのと同様に接続することで、各スピーカ装置１，１Ａの各モノラル信号用入力端子１４ｂ，１４ｂＡから入力されるモノラル信号に関し、スピーカ装置１から各スピーカ装置１，１Ａの各ピッチ変調回路６０においてピッチが変調されたＲ信号を、スピーカ装置１Ａから各スピーカ装置１，１Ａの各ピッチ変調回路６０においてピッチが変調されたＬ信号を各々放音することができる。
【０１２９】
図５において説明したように、スピーカ装置１にパンＶＲ回路５０やピッチ変調回路６０を組み込むことでモノラル入力信号をステレオ化できるので、ステレオ入力信号に限らずモノラル入力信号に対しても本発明のステレオ拡張は効果的であり、２つのスピーカ装置１，１Ａの各モノラル入力チャンネルをも有効に活用することができる。
【０１３０】
次に、図６及び図７を参照して、第２実施例のスピーカ装置２００について説明する。第２実施例のスピーカ装置２００は、上述した第１実施例のスピーカ装置１と同様に、２台のスピーカ装置２００を利用してステレオ出力する場合に、各スピーカ装置２００の入力チャンネルを有効に利用することができる装置であると共に、単体で使用する場合にもステレオ出力できるスピーカ装置である。
【０１３１】
尚、第１実施例のスピーカ装置１の外観構成と第２実施例のスピーカ装置２００の外観構成とは、第１実施例のスピーカ装置１は、図１（ａ）に示すように、メッシュプレート２の背後に単一のスピーカ３が配置されているのに対して、この第２実施例のスピーカ装置２００は、メッシュプレート２の背後に２つのスピーカが例えば左右に２つ配置されている点で異なり、その他の外観構成は略同様に構成されている。
【０１３２】
図６は、第２実施例のスピーカ装置２００の電気的構成を説明するための図である。スピーカ装置２００は、上述した通り、単体で使用する場合にもステレオ出力可能に構成されているため、左用スピーカとしてのスピーカ３Ｌと、右用スピーカとしてのスピーカ３Ｒとの２つのスピーカが搭載されており、それに伴い、スピーカ３Ｌに信号経路２８Ｌを介して左用のＡＭＰ２７Ｌが接続され、そのＡＭＰ２７Ｌに信号経路２６Ｌを介して左用のマスターＶＲ２５Ｌが接続されている。また、スピーカ３Ｒに信号経路２８Ｒを介して右用のＡＭＰ２７Ｒが接続され、そのＡＭＰ２７Ｒに信号経路２６Ｒを介して右用のマスターＶＲ２５Ｒが接続されている。
【０１３３】
これらのスピーカ３Ｌ，３Ｒと、マスターＶＲ２５Ｌ，２５Ｒと、ＡＭＰ２７Ｌ，２７Ｒとは、スピーカ装置１において説明したスピーカ３と、マスターＶＲ２５と、ＡＭＰ２７と同様に構成されているので、その説明は省略する。尚、マスターＶＲ２５ＬとマスターＶＲ２５Ｒとは、マスター用音量調節操作子１１の操作状況に応じて連動して作動するように構成されている。
【０１３４】
また、スピーカ装置２００には、第１、第２、第３入力チャンネル１４、１５、１６と接続されているステレオミキシングプリアンプ部２０と、そのステレオミキシングプリアンプ部２０とＬ信号用経路２１およびＲ信号用経路２２を介して接続されているステレオ拡張回路７０とを備えている。尚、第１、第２、第３入力チャンネル１４、１５、１６と、ステレオミキシングプリアンプ部２０とは、スピーカ装置１において説明したのと同様に構成されているため、同一の符号を付し、その説明は省略する。
【０１３５】
ステレオ拡張回路７０は、スピーカ装置１におけるステレオ拡張回路２３に対応する回路であり、ステレオ拡張回路２３と同様に、２台のスピーカ装置２００を利用してステレオ出力するための回路である。
【０１３６】
ステレオ拡張回路７０は、Ｌ信号用経路２１から分離する第１のＬ信号用経路２１ａおよび第２のＬ信号用経路２１ｂと、Ｒ信号用経路２２から分離する第１のＲ信号用経路２２ａおよび第２のＲ信号用経路２２ｂと、第１のＬ信号用経路２１ａの一端と第１のＲ信号用経路２２ａの一端とに接続されているＬ信号用加算器３０Ｌと、第２のＬ信号用経路２１ｂの一端と第２のＲ信号用経路２２ｂの一端とに接続されているＲ信号用加算器３０Ｒと、第１のＬ信号用経路２１ａの途中に配置される第１のＬ信号用スイッチ３１ａと、第２のＬ信号用経路２１ｂの途中に配置される第２のＬ信号用スイッチ３１ｂと、第１のＲ信号用経路２２ａの途中に配置される第１のＲ信号用スイッチ３２ａと、第２のＲ信号用経路２２ｂの途中に配置される第２のＲ信号用スイッチ３２ｂとを備えている。
【０１３７】
更に、ステレオ拡張回路７０は、第１実施例のステレオ装置１と同様に、ステレオ拡張用入力端子１８と、ステレオ拡張用Ｌ信号出力端子１９ａと、ステレオ拡張用Ｒ信号出力端子１９ｂとを備え、ステレオ拡張用入力端子１８はＬ信号用加算器３０ＬとＲ信号用加算器３０Ｒとの各々に接続され、ステレオ拡張用Ｌ信号出力端子１９ａはＬ信号用経路２１の途中に接続され、ステレオ拡張用Ｒ信号出力端子１９ｂはＲ信号用経路２２の途中に接続されている。
【０１３８】
Ｌ信号用加算器３０Ｌは、入力された信号を混合するものであって、信号経路２４Ｌを介してマスターＶＲ２５Ｌに接続されている。よって、Ｌ信号用加算器３０Ｌにおいて混合された信号は、信号経路２４Ｌを介してマスターＶＲ２５Ｌに出力される。
【０１３９】
Ｒ信号用加算器３０Ｒは、入力された信号を混合するものであって、信号経路２４Ｒを介してマスターＶＲ２５Ｒに接続されている。よって、Ｒ信号用加算器３０Ｒにおいて混合された信号は、信号経路２４Ｒを介してマスターＶＲ２５Ｒに出力される。
【０１４０】
第１のＬ信号用スイッチ３１ａは、Ｌ信号用加算器３０Ｌに通じる第１のＬ信号用経路２１ａの連結と遮断とを切替えるスイッチである。ステレオ拡張用Ｌ信号出力端子１９ａおよびステレオ拡張用Ｒ信号出力端子１９ｂに図示しないオーディオケーブルが差し込まれていない場合、第１のＬ信号用スイッチ３１ａは、Ｌ信号用加算器３０Ｌに通じる第１のＬ信号用経路２１ａを連結する状態となり、この場合には、第１のＬ信号用経路２１ａから送信されるＬ信号は、Ｌ信号用加算器３０Ｌに入力される。
【０１４１】
一方、ステレオ拡張用Ｌ信号出力端子１９ａにオーディオケーブルが差込まれると、その圧力により機械的に第１のＬ信号用スイッチ３１ａが作動して第１のＬ信号用経路２１ａを遮断する状態に切替える。この場合、第１のＬ信号用経路２１ａから送信されるＬ信号がＬ信号用加算器３０Ｌに入力されるのが遮断される。尚、ステレオ拡張用Ｌ信号出力端子１９ａからオーディオケーブルが引き抜かれると第１のＬ信号用スイッチ３１ａは再び先の状態に復帰する。
【０１４２】
また、ステレオ拡張用Ｒ信号出力端子１９ｂにオーディオケーブルが差込まれた場合には、第１のＬ信号用スイッチ３１ａは、Ｌ信号用加算器３０Ｌに通じる第１のＬ信号用経路２１ａを連結する状態を維持し、この場合には、第１のＬ信号用経路２１ａから送信されるＬ信号は、Ｌ信号用加算器３０Ｌに入力される。
【０１４３】
第２のＬ信号用スイッチ３１ｂは、Ｒ信号用加算器３０Ｒに通じる第２のＬ信号用経路２１ｂの連結と遮断とを切替えるスイッチである。ステレオ拡張用Ｌ信号出力端子１９ａおよびステレオ拡張用Ｒ信号出力端子１９ｂにオーディオケーブルが差し込まれていない場合、第２のＬ信号用スイッチ３１ｂは、Ｒ信号用加算器３０Ｒに通じる第２のＬ信号用経路２１ｂの経路を遮断する状態にする。よって、この場合には、第２のＬ信号用経路２１ｂから送信されるＬ信号がＲ信号用加算器３０Ｒに入力されるのが遮断される。
【０１４４】
一方、ステレオ拡張用Ｒ信号出力端子１９ｂにオーディオケーブルが差込まれると、その圧力により機械的に第２のＬ信号用スイッチ３１ｂが作動して第２のＬ信号用経路２１ｂを連結する状態に切替え、この場合には、第２のＬ信号用経路２１ｂから送信されるＬ信号はＲ信号用加算器３０Ｒに入力される。尚、ステレオ拡張用Ｒ信号出力端子１９ｂからオーディオケーブルの一端が引き抜かれると、第２のＬ信号用スイッチ３１ｂは先の状態に復帰する。
【０１４５】
また、ステレオ拡張用Ｌ信号出力端子１９ａにオーディオケーブルが差込まれた場合、第２のＬ信号用スイッチ３１ｂは、Ｒ信号用加算器３０Ｒに通じる第２のＬ信号用経路２１ｂを遮断する状態を維持し、この場合には、第２のＬ信号用経路２１ｂから送信されるＬ信号は、Ｒ信号用加算器３０Ｒに入力されるのが遮断される。
【０１４６】
第１のＲ信号用スイッチ３２ａは、Ｌ信号用加算器３０Ｌに通じる第１のＲ信号用経路２２ａの連結と遮断とを切替えるスイッチである。ステレオ拡張用Ｌ信号出力端子１９ａおよびステレオ拡張用Ｒ信号出力端子１９ｂにオーディオケーブルが差し込まれていない場合、第１のＲ信号用スイッチ３２ａは、Ｌ信号用加算器３０Ｌに通じる第１のＲ信号用経路２２ａを遮断する状態にし、この場合には、第１のＲ信号用経路２２ａから送信されるＲ信号のＬ信号用加算器３０Ｌへの入力が遮断される。
【０１４７】
一方、ステレオ拡張用Ｌ信号出力端子１９ａにオーディオケーブルが差込まれると、その圧力により機械的に第１のＲ信号用スイッチ３２ａが作動して第１のＲ信号用経路２２ａを連結する状態に切り替える。この場合には、第１のＲ信号用経路２２ａから送信されるＲ信号は、Ｌ信号用加算器３０Ｌに入力される。尚、ステレオ拡張用Ｌ信号出力端子１９ａからオーディオケーブルが引き抜かれると、第１のＲ信号用スイッチ３２ａは再び先の状態に復帰する。
【０１４８】
また、ステレオ拡張用Ｒ信号出力端子１９ｂにオーディオケーブルが差込まれたとしても、第１のＲ信号用スイッチ３２ａは、Ｌ信号用加算器３０Ｌに通じる第１のＲ信号用経路２２ａを遮断する状態を維持する。この場合には、第１のＲ信号用経路２２ａから送信されるＲ信号が、Ｌ信号用加算器３０Ｌに入力するのが遮断される。
【０１４９】
第２のＲ信号用スイッチ３２ｂは、Ｒ信号用加算器３０Ｒに通じる第２のＲ信号用経路２２ｂの連結と遮断とを切替えるスイッチである。ステレオ拡張用Ｌ信号出力端子１９ａおよびステレオ拡張用Ｒ信号出力端子１９ｂにオーディオケーブルが差し込まれていない場合、第２のＲ信号用スイッチ３２ｂは、Ｒ信号用加算器３０Ｒに通じる第２のＲ信号用経路２２ｂの経路を連結する状態にする。よって、この場合には、第２のＲ信号用経路２２ｂから送信されるＲ信号は、Ｒ信号用加算器３０Ｒに入力される。
【０１５０】
一方、ステレオ拡張用Ｒ信号出力端子１９ｂにオーディオケーブルが差込まれると、その圧力により機械的に第２のＲ信号用スイッチ３２ｂが作動して第２のＲ信号用経路２２ｂを遮断する状態に切り替える。この場合には、第２のＲ信号用経路２２ｂから送信されるＲ信号が、Ｒ信号用加算器３０Ｒに入力するのが遮断される。尚、ステレオ拡張用Ｒ信号出力端子１９ｂからオーディオケーブルの一端が引き抜かれると第２のＲ信号用スイッチ３２ｂは先の状態に復帰する。
【０１５１】
また、ステレオ拡張用Ｌ信号出力端子１９ａにオーディオケーブルが差込まれた場合、第２のＲ信号用スイッチ３２ｂは、Ｒ信号用加算器３０Ｒに通じる第２のＲ信号用経路２２ｂを連結する状態を維持し、この場合には、第２のＲ信号用経路２２ｂから送信されるＲ信号は、Ｒ信号用加算器３０Ｒに入力される。
【０１５２】
次に、上述したように構成されたスピーカ装置２００を単独で使用する場合において、例えば、第２、第３入力チャンネル１５，１６の各々に図示しないオーディオケーブルを介して音源装置が接続され、その各音源装置から出力される各ステレオ信号が、第２、第３入力チャンネル１５，１６から入力された場合について説明する。
【０１５３】
この場合（単独使用する場合）、ステレオ拡張用入力端子１８、ステレオ拡張用Ｌ信号出力端子１９ａ、ステレオ拡張用Ｒ信号出力端子１９ｂにはオーディオケーブルが接続されていないので、図６に示すように、第１のＬ信号用スイッチ３１ａは、Ｌ信号用加算器３０Ｌに通じる第１のＬ信号用経路２１ａを連結し、第２のＬ信号用スイッチ３１ｂは、Ｒ信号用加算器３０Ｒに通じる第２のＬ信号用経路２１ｂを遮断し、第１のＲ信号用スイッチ３２ａは、Ｌ信号用加算器３０Ｌに通じる第１のＲ信号用経路２２ａを遮断し、第２のＲ信号用スイッチ３２ｂは、Ｒ信号用加算器３０Ｒに通じる第２のＲ信号用経路２２ｂを連結する状態となる。
【０１５４】
よって、第２、第３入力チャンネル１５，１６から入力された各ステレオ信号は、上述した第１実施例のスピーカ装置１と同様に、ステレオミキシングプリアンプ部２０において各ステレオ信号の音量が調節された後に混合され、１つのステレオ信号として生成され、その１つのステレオ信号を構成するＬ信号はＬ信号用経路２１、Ｒ信号はＲ信号用経路２２を通ってステレオ拡張回路７０に入力される。
【０１５５】
このうち、Ｌ信号用経路２１を介して入力されるＬ信号は、第２のＬ信号用スイッチ３１ｂによってＲ信号用加算器３０Ｒに通じる第２のＬ信号用経路２１ｂが遮断されているので、第１のＬ信号用経路２１ａを介してＬ信号用加算器３０Ｌに入力される。
【０１５６】
一方、Ｒ信号用経路２２を介して入力されるＲ信号は、第１のＲ信号用スイッチ３２ａによってＬ信号用加算器３０Ｌに通じる第１のＲ信号用経路２２ａが遮断されているので、第２のＲ信号用経路２２ｂを介してＲ信号用加算器３０Ｒに入力される。
【０１５７】
こうして、Ｌ信号用加算器３０ＬとＲ信号用加算器３０Ｒとの各々に入力されたＬ信号とＲ信号とは、信号用経路２４Ｌ，２４Ｒを介して、マスターＶＲ２５Ｌ，２５Ｒに入力され、マスターＶＲ２５Ｌ，２５Ｒにおいて音量が調節される。その後、信号経路２６Ｌ，２６Ｒを介してＡＭＰ２７Ｌ，２７Ｒに入力され、音質が調節されると共に増幅される。そして、信号経路２８Ｌ，２８Ｒを介してスピーカ３Ｌ，３Ｒからステレオ音として外部に放音される。このように、このスピーカ装置２００は、入力されたステレオ信号をステレオ音として放音することができる。
【０１５８】
次に、図７を参照して、２台のスピーカ装置２００（一方をスピーカ装置２００、他方をスピーカ装置２００Ａとする）を利用して、各スピーカ装置２００、２００Ａに入力された信号をステレオ出力する場合について説明する。
【０１５９】
図７は、２台のスピーカ装置２００，２００Ａを接続した状態を示す図である。尚、スピーカ装置２００とスピーカ装置２００Ａとは同じスピーカ装置であるため、スピーカ装置２００Ａの各構成の符号は、対応するスピーカ装置２００の各構成の符号に「Ａ」の文字を付し、その説明を省略する。
【０１６０】
また、本実施例では、スピーカ装置２００のステレオ拡張用Ｌ信号出力端子１９ａとスピーカ装置２００Ａのステレオ拡張入力端子１８Ａとをオーディオケーブル４０で接続し、スピーカ装置２００のステレオ拡張入力端子１８とスピーカ装置２００Ａのステレオ拡張用Ｒ信号出力端子１９ｂＡとをオーディオケーブル４１で接続することで、スピーカ装置２００とスピーカ装置２００Ａとを接続する。
【０１６１】
よって、スピーカ装置２００では、第１のＬ信号用スイッチ３１ａは、Ｌ信号用加算器３０Ｌに通じる第１のＬ信号用経路２１ａを遮断し、第２のＬ信号用スイッチ３１ｂは、Ｒ信号用加算器３０Ｒに通じる第２のＬ信号用経路２１ｂを遮断し、第１のＲ信号用スイッチ３２ａは、Ｌ信号用加算器３０Ｌに通じる第１のＲ信号用経路２２ａを連結し、第２のＲ信号用スイッチ３２ｂは、Ｒ信号用加算器３０Ｒに通じる第２のＲ信号用経路２２ｂを連結する状態となる。
【０１６２】
また、スピーカ装置２００Ａでは、第１のＬ信号用スイッチ３１ａＡは、Ｌ信号用加算器３０ＬＡに通じる第１のＬ信号用経路２１ａＡを連結し、第２のＬ信号用スイッチ３１ｂＡは、Ｒ信号用加算器３０ＲＡに通じる第２のＬ信号用経路２１ｂＡを連結し、第１のＲ信号用スイッチ３２ａＡは、Ｌ信号用加算器３０ＬＡに通じる第１のＲ信号用経路２２ａＡを遮断し、第２のＲ信号用スイッチ３２ｂＡは、Ｒ信号用加算器３０ＲＡに通じる第２のＲ信号用経路２２ｂＡを遮断する状態となる。
【０１６３】
この状態で、例えば、スピーカ装置２００の第２、第３入力チャンネル１５，１６からステレオ信号を入力すると、その入力された各ステレオ信号は、上述したのと同様に、ステレオミキシングプリアンプ部２０において１つのステレオ信号として生成され、そのステレオ信号を構成するＬ信号はＬ信号用経路２１、Ｒ信号はＲ信号用経路２２を通ってステレオ拡張回路７０に入力される。
【０１６４】
ステレオ拡張回路７０に入力されたＬ信号とＲ信号のうち、Ｌ信号は第１，第２のＬ信号用スイッチ３１ａ，３１ｂによって第１，第２のＬ信号用経路２１ａ，２１ｂが遮断されているため、ステレオ拡張用Ｌ信号出力端子１９ａ、オーディオケーブル４０、スピーカ装置２００Ａのステレオ拡張用入力端子１８Ａを介してスピーカ装置２００ＡのＬ信号用加算器３０ＬＡおよびＲ信号用加算器３０ＲＡに出力される。
【０１６５】
一方、Ｒ信号は、第１，第２のＲ信号用スイッチ３２ａ，３２ｂが第１，第２のＲ信号用経路２２ａ，２２ｂを連結する状態にあるため、Ｌ信号用加算器３０ＬおよびＲ信号用加算器３０Ｒに出力される。
【０１６６】
また、スピーカ装置２００Ａにも第２、第３入力チャンネル１５Ａ，１６Ａからステレオ信号を入力すると、その入力された各ステレオ信号は、上述したのと同様に、ステレオミキシングプリアンプ部２０Ａにおいて１つのステレオ信号として生成され、そのステレオ信号を構成するＬ信号はＬ信号用経路２１Ａ、Ｒ信号はＲ信号用経路２２Ａを通ってステレオ拡張回路７０Ａに出力される。
【０１６７】
ステレオ拡張回路７０Ａに入力されたＬ信号とＲ信号のうち、Ｌ信号は第１，第２のＬ信号用スイッチ３１ａＡ，３１ｂＡが第１，第２のＬ信号用経路２１ａＡ，２１ｂＡを連結する状態にあるため、Ｌ信号用加算器３０ＬＡおよびＲ信号用加算器３０ＲＡに出力される。
【０１６８】
一方、Ｒ信号は、第１，第２のＲ信号用スイッチ３２ａＡ，３２ｂＡによって第１，第２のＲ信号用経路２２ａＡ，２２ｂＡが遮断されているため、ステレオ拡張用Ｒ信号出力端子１９ｂＡ、オーディオケーブル４１、スピーカ装置２００のステレオ拡張用入力端子１８を介してスピーカ装置２００のＬ信号用加算器３０ＬおよびＲ信号用加算器３０Ｒに出力される。
【０１６９】
こうして、スピーカ装置２００のＬ信号用加算器３０Ｌにスピーカ装置２００ＡからＲ信号が出力されると共に、スピーカ装置２００の第１のＲ信号用経路２２ａを通ってＲ信号が出力されると、これらのＲ信号がＬ信号用加算器３０Ｌにおいて混合される。混合された信号は、上述したのと同様に、マスターＶＲ２５Ｌ、ＡＭＰ２７Ｌ、左用スピーカ３Ｌを介して外部に放音される。
【０１７０】
また、スピーカ装置２００のＲ信号用加算器３０Ｒにスピーカ装置２００ＡからＲ信号が出力されると共に、スピーカ装置２００の第２のＲ信号用経路２２ｂを通ってＲ信号が出力されると、これらのＲ信号がＲ信号用加算器３０Ｒにおいて混合される。混合された信号は、上述したのと同様に、マスターＶＲ２５Ｒ、ＡＭＰ２７Ｒ、右用スピーカ３Ｒを介して外部に放音される。即ち、スピーカ装置２００のスピーカ３Ｌ，３Ｒからは、スピーカ装置２００とスピーカ装置２００Ａとの各々から入力されたステレオ信号のうちＲ信号に基づく信号が放音される。
【０１７１】
一方、スピーカ装置２００ＡのＬ信号用加算器３０ＬＡにスピーカ装置２００からＬ信号が出力されると共に、スピーカ装置２００Ａの第１のＬ信号用経路２１ａＡを通ってＬ信号が出力されると、これらのＬ信号がＬ信号用加算器３０ＬＡにおいて混合される。混合された信号は、上述したのと同様に、マスターＶＲ２５ＬＡ、ＡＭＰ２７ＬＡ、左用スピーカ３ＬＡを介して外部に放音される。
【０１７２】
また、スピーカ装置２００ＡのＲ信号用加算器３０ＲＡにスピーカ装置２００からＬ信号が出力されると共に、スピーカ装置２００Ａの第２のＬ信号用経路２１ｂＡを通ってＬ信号が出力されると、これらのＬ信号がＲ信号用加算器３０ＲＡにおいて混合される。混合された信号は、上述したのと同様に、マスターＶＲ２５ＲＡ、ＡＭＰ２７ＲＡ、右用スピーカ３ＲＡを介して外部に放音される。即ち、スピーカ装置２００Ａのスピーカ３ＬＡ，３ＲＡからは、スピーカ装置２００とスピーカ装置２００Ａとの各々から入力されたステレオ信号のうちＬ信号に基づく信号が放音される。
【０１７３】
このように、２台のスピーカ装置２００，２００Ａを利用することで、各スピーカ装置２００，２００Ａから入力されたステレオ信号をステレオ出力することができる。従って、各スピーカ装置２００，２００Ａの入力チャンネルを有効に利用することができる。
【０１７４】
また、この第２実施例のスピーカ装置２００のステレオミキシングプリアンプ部２０に、図５で説明した第１実施例のスピーカ装置１と同様に、パンＶＲ回路５０や、ピッチ変調回路６０を搭載することもできる。
【０１７５】
この場合には、スピーカ装置１と同様に、モノラル入力信号をステレオ化できるので、ステレオ入力信号に限らずモノラル入力信号に対しても本発明のステレオ拡張は効果的であり、２つのスピーカ装置２００，２００Ａの各モノラル入力チャンネルをも有効に活用することができる。
【０１７６】
以上実施例に基づき本発明を説明したが、本発明は上記実施例に何ら限定されるものでなく、本発明の主旨を逸脱しない範囲内で種々の改良変形が可能であることは容易に推察できるものである。
【０１７７】
例えば、上述した実施例においては、スピーカ装置１からスピーカ装置１ＡにＬ信号を出力し、スピーカ装置１Ａからスピーカ装置１にＲ信号を出力し、スピーカ装置１からＲ信号を放音し、スピーカ装置１ＡからＬ信号を放音する場合について説明した。
【０１７８】
しかし、本発明のスピーカ装置は、Ｌ信号とＲ信号との両方の信号を選択的に別のスピーカ装置に出力可能に構成されているので、当然に、上述したのとは、逆に、スピーカ装置１からスピーカ装置１ＡにＲ信号を出力し、スピーカ装置１Ａからスピーカ装置１にＬ信号を出力し、スピーカ装置１からＬ信号を放音し、スピーカ装置１ＡからＲ信号を放音することも可能である。尚、第２実施例のスピーカ装置２００についても同様に構成することもできる。
【０１７９】
また、上述した実施例においては、Ｌ信号用スイッチ３１やＲ信号用スイッチ３２は、ステレオ拡張用Ｌ信号出力端子１９ａやステレオ拡張用Ｒ信号出力端子１９ｂにオーディオケーブルの入力端子を差込むことで、その圧力により機械的に作動する場合について説明したが、Ｌ信号用スイッチ３１やＲ信号用スイッチ３２を作動させる手段としては、かかる手段に限られものではない。
【０１８０】
例えば、Ｌ信号用スイッチ３１やＲ信号用スイッチ３２の作動／解除を指示する操作子を別に設け、その操作子の操作状況を電気的に検出し、その操作子の操作状況に応じてＬ信号用スイッチ３１やＲ信号用スイッチ３２の作動／解除を制御するように構成しても良い。
【０１８１】
かかる場合には、ステレオ拡張用Ｌ信号出力端子１９ａやステレオ拡張用Ｒ信号出力端子１９ｂにオーディオケーブルの入力端子を差込んだままの状態であっても、Ｌ信号用スイッチ３１やＲ信号用スイッチ３２の作動／解除を操作して、モノラル出力とステレオ出力を切替えることができる。
【図面の簡単な説明】
【０１８２】
【図１】（ａ）はスピーカ装置の正面図であり（ｂ）はスピーカ装置の背面図である。
【図２】スピーカ装置の電気的構成を説明するための図である。
【図３】ステレオミキシングプリアンプ部の電気的構成を説明するための図である。
【図４】２台のスピーカ装置を利用してステレオ出力する場合を説明するための図である。
【図５】ステレオミキシングプリアンプ部の部分的な電気的構成を説明するための図であり、特に、（ａ）は、ステレオミキシングプリアンプ部にパンＶＲ回路を搭載した場合を示し、（ｂ）はステレオミキシングプリアンプ部にピッチ変調回路を搭載した場合を示している。
【図６】第２実施例のスピーカ装置の電気的構成を説明するための図である。
【図７】第２実施例の２台のスピーカ装置を利用してステレオ出力する場合を説明するための図である。
【図８】従来のスピーカ装置の電気的構成を説明するための図である。
【図９】従来の方式で２台のスピーカ装置を利用してステレオ出力する場合を説明するための図である。
【符号の説明】
【０１８３】
６      第２入力チャンネル用音量調節操作子
７      第３入力チャンネル用音量調節操作子
９      ヘッドホン用出力端子
１４    第１入力チャンネル
１４ａ  第１モノラル用入力端子（第１の入力手段）
１４ｂ  第２モノラル用入力端子（第１の入力手段）
１５    第２入力チャンネル（第１の入力手段）
１５ａ  Ｌ信号用入力端子（第１の入力手段）
１５ｂ  Ｒ信号用入力端子（第１の入力手段）
１６    第３入力チャンネル（第１の入力手段）
１６ａ  Ｌ信号用入力端子（第１の入力手段）
１６ｂ  Ｒ信号用入力端子（第１の入力手段）
１８    ステレオ拡張用入力端子（第２の入力手段）
１９ａ  ステレオ拡張用Ｌ信号出力端子（出力手段、ステレオ拡張用左信号出力手段）
１９ｂ  ステレオ拡張用Ｒ信号出力端子（出力手段、ステレオ拡張用右信号出力手段）
２０    ステレオミキシングプリアンプ部
２１    Ｌ信号用経路
２２    Ｒ信号用経路
２１ａ  第１のＬ信号用経路
２１ｂ  第２のＬ信号用経路
２２ａ  第１のＲ信号用経路
２２ｂ  第２のＲ信号用経路
３０    加算器（混合手段）
３０Ｌ  Ｌ信号用加算器（混合手段）
３０Ｒ  Ｒ信号用加算器（混合手段）
３１    Ｌ信号用スイッチ（切替手段）
３２    Ｒ信号用スイッチ（切替手段）
３１ａ  第１のＬ信号用スイッチ（切替手段）
３１ｂ  第２のＬ信号用スイッチ（切替手段）
３２ａ  第１のＲ信号用スイッチ（切替手段）
３２ｂ  第２のＲ信号用スイッチ（切替手段）
５０    パンＶＲ回路（変更手段）
６０    ピッチ変調回路（変更手段）